(57)【要約】【課題】  有価証券の偽造データと思われるデータについて印刷装置で一次チェックを実施し、その元データをホストから所定の判定サーバに送信させ、偽造防止の判定をそのサーバにて実施させ、印刷装置ではこの判断を待って印刷するような印刷装置の提供を目的とする。【解決手段】  ホストインタフェースを介してホストコンピュータと接続される印刷装置であって、操作パネル等の表示部を持つ装置において、前記印刷装置上に設置された、受信した印刷データが有価証券であるかどうか、データサイズ、解像度等から一次判断する手段を有する。【選択図】  図２
2006327082.tif 000002
【特許請求の範囲】
【請求項１】
ホストインタフェースを介してホストコンピュータと接続される印刷装置であって、操作パネル等の表示部を持つ装置において、
前記印刷装置上に設置された、受信した印刷データが有価証券であるかどうか、データサイズ、解像度等から一次判断する手段を有することを特徴とする印刷装置。
【請求項２】
ホストインタフェースを介してホストコンピュータと接続される印刷装置であって、操作パネル等の表示部を持つ装置において、
前記印刷装置上に設置された、受信した印刷データが有価証券であるかどうか、データサイズ、解像度等から一次判断した結果、その可能性がある場合、
前記印刷装置上に設置された、前記ホストにネットワーク等を経由して接続された所定の判定サーバに元の印刷データを転送するように指示する手段を有することを特徴とする印刷装置。
【請求項３】
ホストインタフェースを介してホストコンピュータと接続される印刷装置であって、操作パネル等の表示部を持つ装置において、
前記印刷装置上に設置された、受信した印刷データが有価証券であるかどうか、データサイズ、解像度等から一次判断した結果、その可能性がある場合、データの展開処理をし終わっても、前記判定サーバから「イメージが有価証券ではない」という情報がくるまで展開イメージを保持し、印刷動作せずに待機する手段を有することを特徴とする印刷装置。
【請求項４】
ホストインタフェースを介してホストコンピュータと接続される印刷装置であって、操作パネル等の表示部を持つ装置において、
前記印刷装置とホストインタフェース等で接続された前記判定サーバにおいて、ホストから送信された有価証券のイメージらしきデータを、有価証券のイメージかどうか判定し、その結果を判定依頼元の印刷装置に通知する手段を有することを特徴とする印刷装置。
【請求項５】
ホストインタフェースを介してホストコンピュータと接続される印刷装置であって、操作パネル等の表示部を持つ装置において、
前記印刷装置上に設置された、受信した印刷データが有価証券であるかどうか、データサイズ、解像度等から一次判断した結果、その可能性がある場合、データの展開処理をし終わっていても、前記判定サーバから「当該イメージが有価証券である」という情報がくると出力処理することなく保持していた展開イメージを消去し、前記ホストに元印刷データの削除を要求する手段を有することを特徴とする印刷装置。
【発明の詳細な説明】
【技術分野】
【０００１】
本発明は、インタフェースを介してホストコンピュータに接続される、印刷装置等の印刷装置に関するものである。
【背景技術】
【０００２】
図１は、従来の印刷装置３０の制御部分（コントローラ）ハードウェア構成を示すブロック図である。
【０００３】
図１中、１は印刷装置３０とホストコンピュータ（不図示）間での交信を行う為のホストインタフェース部で、印刷装置３０からホストコンピュータへの通信信号はホストインタフェース部１を通してホストコンピュータへ出力され、ホストコンピュータから印刷装置３０への通信信号はホストインタフェース部１を通して印刷装置３０へ入力される。２は、印刷装置３０とホストコンピュータ間での通信媒体に用いられる、ホスト間通信線である。
【０００４】
ここでホストインタフェース部１を通してコードデータとして印刷装置３０へ入力される。
【０００５】
画像処理情報は、ＣＰＵ３の制御の基にまず、ホストからのデータ受信バッファＲＡＭ４に入れられる。この受信バッファＲＡＭ４は、ホストインタフェース部１より送られてくる順に文字コード、図形形成情報や制御情報を格納する。
【０００６】
９は文字コードに対応して、その文字パターンデータを格納しているフォントメモリで、ＣＰＵ３はプログラムＲＯＭ６に格納されている文字コード、図形形成情報や制御情報の  コードデータを解析してドットパターンを形成するインタプリタ等の処理プログラムに従って、受信バッファＲＡＭ４に格納されている文字コードデータを基に、フォントメモリ９をアクセスして、対応するパターンデータを読み出してドットパターンメモリ１０にパターン展開する。
【０００７】
また、プログラムＲＯＭ６には装置全体の制御を行うための制御プログラムが格納されており、ＣＰＵ３は制御プログラムに従って装置全体の制御を行う。
【０００８】
５はＣＰＵ３がプログラムＲＯＭ６に格納されているプログラムに従って処理を行う際に、処理を実行するうえで利用する一時的な各種のデータを読み書きする、作業用のランダムアクセスメモリである。
【０００９】
１０はプログラムＲＯＭ６に格納されているドットパターンを形成するための処理プログラムによりパターン展開されたドットパターンデータを格納するドットパターンメモリである。
【００１０】
７はドットパターンメモリ１０より、ドットパターンデータを入力し、画像形成部インタフェース部８に出力するＦＩＦＯ（Ｆｉｒｓｔ  Ｉｎ  Ｆｉｒｓｔ  Ｏｕｔ）メモリである。
【００１１】
画像形成部インタフェース部８（Ｖｉｄｅｏ  Ｉ／Ｆ）はＦＩＦＯ７より画像データ（ドットパターンデータ）を、図示しない印刷装置等の画像形成部に送出して、印刷を行う。
【００１２】
１３はキーボード等の操作パネルで、オペレータによるホストインタフェース部１のオンライン／オフライン状態での設定等の印刷装置における各種動作環境設定の為の入力を行う。操作パネル１３から入力された信号は、操作パネルインタフェース部１２を介してデータバス１４やアドレスバス１５に入力される。ここで印刷装置の各種動作環境設定は、印刷装置上に設置された操作パネル１３からばかりでなく、ホストインタフェースを介してホストコンピュータからも設定することもできる。またホスト上のプリンタドライバソフトを介して動作環境設定をデータに入れて変更することもできる。
【００１３】
１１は１３の操作パネル、または１のホストインタフェース部を介してホストコンピュータからも設定できる印刷装置の各種動作環境設定値を保存することができる、不揮発性の読み書き可能なメモリ（以下ＮＶＲＡＭと呼ぶ）である。クロック発生回路１６より出力されるクロック信号２０は、ＣＰＵ３のクロック信号として使用される。
【００１４】
又、従来例としては、例えば特許文献１と特許文献２をあげることが出来る。
【特許文献１】特開平７−１３１６３８号公報
【特許文献２】特開２００１−２４８８５号公報
【発明の開示】
【発明が解決しようとする課題】
【００１５】
近年、スキャナ、印刷装置の高画質化、再現性向上によりパソコンとプリンタを用いての、従来のカラーコピーを用いたものより巧妙な有価証券の偽造が多くなる一方、コンビニエンスストアなどで不特定多数のユーザによりカラープリンタが手軽に利用可能な状況になっており、メーカとしての偽造防止策の実現が求められている。
【００１６】
従来、カラー複写機で紙幣イメージのコピーを禁止することは、既に実施されているが、カラーの印刷装置単体レベルでは入力イメージの画像チェックを実現するには、メモリ上の制限、印刷速度の劣化、頻繁に変わる有価証券イメージを対象にすることは事実上不可能、などの理由から実施が難しかった。
【００１７】
そこで本発明では、有価証券の偽造データと思われるデータについて印刷装置で一次チェックを実施し、その元データをホストから所定の判定サーバに送信させ、偽造防止の判定をそのサーバにて実施させ、印刷装置ではこの判断を待って印刷するような印刷装置の提供を目的とする。
【課題を解決するための手段】
【００１８】
上記の欠点を除去し、目的を達成する為に、本発明による印刷装置は、ホストインタフェースを介してホストコンピュータと接続される印刷装置であって、操作パネル等の表示部を持つ装置において、前記印刷装置上に設置された、受信した印刷データが有価証券であるかどうか、データサイズ、解像度等から一次判断する手段を有する。
【００１９】
前記印刷装置上に設置された、受信した印刷データが有価証券であるかどうか、データサイズ、解像度等から一次判断した結果、その可能性がある場合、前記印刷装置上に設置された、前記ホストにネットワーク等を経由して接続された所定の判定サーバに元の印刷データを転送するように指示する手段を有する。
【００２０】
前記印刷装置上に設置された、受信した印刷データが有価証券であるかどうか、データサイズ、解像度等から一次判断した結果、その可能性がある場合、データの展開処理をし終わっても、前記判定サーバから「イメージが有価証券ではない」という情報がくるまで展開イメージを保持し、印刷動作せずに待機する手段を有する。
【００２１】
前記印刷装置とホストインタフェース等で接続された前記判定サーバにおいて、ホストから送信された有価証券のイメージらしきデータを、有価証券のイメージかどうか判定し、その結果を判定依頼元の印刷装置に通知する手段を有する。
【００２２】
前記印刷装置上に設置された、受信した印刷データが有価証券であるかどうか、データサイズ、解像度等から一次判断した結果、その可能性がある場合、データの展開処理をし終わっていても、前記判定サーバから「当該イメージが有価証券である」という情報がくると出力処理することなく保持していた展開イメージを消去し、前記ホストに元印刷データの削除を要求する手段を有する。
【００２３】
（作用）
係る構成において、近年、スキャナ、印刷装置の高画質化、再現性向上によりパソコンとプリンタを用いて従来のカラーコピーより巧妙な有価証券の偽造が多くなる一方、コンビニエンスストアなどで不特定多数のユーザによりカラープリンタ、コピーが手軽に利用可能な状況になっており、メーカとしての偽造防止策の実現が望まれているにも関わらず、カラーの印刷装置単体レベルでは印刷イメージの画像比較を実現するには、メモリ上の制限、印刷速度の劣化、頻繁に変わる有価証券イメージを対象にすることは事実上不可能、などの理由から実施できなかった、という上記従来の欠点を除去できる。
【発明の効果】
【００２４】
以上、説明したように本発明によれば、偽造チェックの仕組みを有していても、明らかに有価證券でない通常のデータには出力までの時間に影響がないのはもちろんのこと、有価証券の疑いのあるデータでも、印刷装置は時間のかかるイメージデータの処理を実行しつつ、並行して印刷装置外の判定サーバで偽造チェックが行われるので出力時間に影響を与えず、かつ最新の有価證券情報を元に判断させるような印刷システムの提供が可能になる。また偽造とわかった場合、入力元データの削除も指示することからより偽造抑止力の高い効果もある。
【発明を実施するための最良の形態】
【００２５】
（第一の実施例）
本実施例を適用する印刷装置として、レーザビームプリンタ、および他のプリント方式のプリンタが挙げられるが、特にカラー印刷モードを有する高精細なプリンタエンジンに適用することが効果的である。
【００２６】
本実施例を実現するハード構成は従来のものと同じである。
【００２７】
図２は本実施例を説明する全体構成図である。
【００２８】
図３は印刷装置での制御フローを説明するフローチャートである。
【００２９】
図４は、判定サーバでの画像比較の一例を説明する図である。
【００３０】
以下、図１と図２、図３、図４を用いて第一の実施例を説明する。
【００３１】
ここで図２、図３で示すデータ処理制御フローの動きは、ホストコンピュータでの処理については、ホストのオペレータ（使用者）の指示で操作され、ホスト上のプリンタドライバのプログラムや、印刷装置から受信したプログラムによりホストＣＰＵの制御の元に実行され、印刷装置での処理については図１のプログラムＲＯＭ６に本フローチャートに基づく制御プログラムが格納されて、ＣＰＵ３の制御のもとに実行され、判定サーバ（コンピュータ）での処理については、判定サーバ上の判定プログラムをサーバのＣＰＵの制御の元に実行されて実現される。
【００３２】
図２において全体の処理フローは次のようになる。
【００３３】
（１）ホストから（スキャナ等で取り込んだ）イメージデータ〔例えばＪＰＥＧ形式の画像〕を印刷指示する。（データ送信）（図３のステップ３０１）この場合はイメージはプリンタドライバを経由してＰＤＬイメージになって送信される。
【００３４】
（２）印刷装置で（データのサイズ、解像度等から）要チェックデータと展開前に判断する。このためには、プリンタドライバによりＰＤＬイメージに展開されたデータには、元データのファイル名、データの種別や、印字指定する紙サイズ情報、データの解像度情報が入っているので、例えば幅８センチ以下、長さ１６センチ以下の“有価証券らしい”サイズであり、かつ解像度６００ｄｐｉ以上のイメージデータなら、「有価証券のイメージの可能性あり」というような簡単なチェックをかければよい。（図３のステップ３０２）
（３）印刷装置からホストにデータを判定サーバに送信するように指示するプログラムを送付する。（図３のステップ３０３）このプログラムは、ホスト上のＣＰＵにて実行され、印刷装置が受信したデータからもとのデータのファイル名を特定し（図２の例では“ｉｍａｇｅ．ｊｐｇ”）この名前のファイルをホストのハードディスク内や装着されているメモリカード等のストレージデバイスから検索し、このプログラムにあらかじめ決められた所定のサーバのＩＰアドレスを入れておき、そこにプログラムの指示でホストからデータファイルを送信させるものである。
【００３５】
（４）ホストにて、前述の送信指示プログラムは判定サーバに印刷しようとしている元画像データ（図２の例では“ｉｍａｇｅ．ｊｐｇ”）を送信する。（図３のステップ３０４）
（５）判定サーバは、登録された有価証券ＤＢ（データベース）との画像イメージ比較を実施し、ホストから受信したデータが有価証券のイメージに合致するか判定する。（図３のステップ３０６）
この判定の方法は図４に示すように、例えば有価証券が日本銀行発行の紙幣なら印鑑の印があるので、このイメージをオリジナルデータとしてＤＢに登録しておき、このパターンを判定サーバはＤＢから取得後、サーバのメモリ上にてパターン１からパターン８のように回転処理を行い、その結果それぞれについて入力画像パターンとのパターンマッチングを行うようにすればよい。この有価証券ＤＢは例えばインターネット上にあって公的なデータとして最新の有価証券の特徴的な部分を登録するような運用がされていることが望ましいが、そうでなくとも典型的な日本の紙幣の一部だけでも登録されたＤＢが印刷装置と同一のイントラネットに設置されていても良いし、もしくは判定サーバ自身がこのＤＢを有しても良い。
【００３６】
（６）（５）での判定の結果、非有価証券とパターンがマッチしないなら「出力許可」とし、有価証券なら「禁止」の通知を印刷装置にする。（図３のステップ３０７、３０８）
（７）印刷装置は印刷許可を待ちつつ（図３のステップ３０５）、データの画像展開を実行してエンジンに出す直前で待機しており、判定サーバからの通知が「印刷許可」ならその画像を印刷し、印刷禁止なら展開し保持していたＲＩＰ画像を消去する。（図３のステップ３０９，３１０，３１１）
（８）印刷禁止の場合は更に、ホストにその印刷指示のあった元データを消去するプログラムを印刷装置から送信させる。
【００３７】
このプログラムは、ホスト上のＣＰＵにて実行され、印刷装置が受信したデータから元のデータのファイル名（図２の例では“ｉｍａｇｅ．ｊｐｇ”）を割り出し、ホストのハードディスク内や装着されているメモリカード等のストレージデバイスからこのファイルを検索し、データの削除を実行、プログラムの指示により、元データ削除の旨をホストのモニタ画面に表示するなどしてオペレータに報知するものである。（図３のステップ３１１，３１２）
（その他の実施例）
第一実施例の図４の判定サーバでの画像チェックの例は紙幣に対しておこなっているが、有価證券以外でもなんらかの印刷禁止イメージを判定サーバが参照するデータベースに登録しておき同様に印刷制限させたとしても良い。
【００３８】
第一実施例では判定サーバと印刷指示をするホストを別にしているが、この両者が同一の場合、すなわち印刷指示をしたホストに判定サーバ役を兼ねさせたとしても良い。
【００３９】
第一実施例の図２の（３）ではホストに印字元データを転送させるようにしたが、印刷装置が受信したデータ（ＰＤＬのイメージデータ）をそのまま判定サーバに送るようにさせ、判定サーバにその解析を委ねたとしても良い。
【００４０】
第一実施例の図２の（５）での判定サーバの偽造判定処理をプログラムで自動にさせているが、この判定をサーバのオペレータが、受信した画像イメージをコンピュータのモニタ画面に表示するなどして目視チェックで選別し、その結果を印刷装置に通知させるような、人を介したマニュアル判定をさせたとしても良い。
【００４１】
第一実施例の図２の（７）での印刷が非許可の場合、ユーザのクライアントＰＣの元データを消去するプログラムを印刷装置から送信させたが、このプログラムは、単にそのファイル名のデータを有価証券のイメージの疑いがあるので、消去するように促す警告メッセージをモニタに表示させたり、電子メールや音声で知らせたりするような指示を出させたとしても良い。
【図面の簡単な説明】
【００４２】
【図１】従来例と本発明の第一実施例を説明する図である。
【図２】第一の実施例の全体を説明する図である。
【図３】第一の実施例の処理を説明するフローチャートである。
【図４】第一の実施例の判定サーバでの偽造判定方法を説明する図である。
【符号の説明】
【００４３】
１  ホストインタフェース部
２  ホスト間通信線
３  ＣＰＵ
４  受信バッファＲＡＭ
５  ワーキングＲＡＭ
６  プログラムＲＯＭ
７  ＦＩＦＯメモリ
８  画像形成部インタフェース部
９  フォントメモリ
１０  ドットパターンメモリ
１１  不揮発性の読み書き可能なメモリ
１２  操作パネルインタフェース部
１３  操作パネル
１４  データバス
１５  アドレスバス
１６  クロック発生回路
２０  クロック信号
３０  印刷装置全体
【図１】
2006327082.tif 000003
【図２】
2006327082.tif 000004
【図３】
2006327082.tif 000005
【図４】
2006327082.tif 000006